(57)【要約】【課題】装置の小型化を維持すると共に高性能化を実現させるシャッタ装置を提供する。【解決手段】可動可能に形成されたシャッタ羽根と、前記シャッタ羽根を駆動するシャッタ駆動レバーと、前記シャッタ駆動レバーに支持されるアマーチャと、チャージ状態で前記アマーチャを吸着する電磁吸着手段とを有するシャッタ装置であって、前記シャッタ駆動レバーと前記アマーチャとの間を弾性力を有する接着剤によって接着したことを特徴とするシャッタ装置を提供する。【選択図】図３
2007094229.tif 000002
【特許請求の範囲】
【請求項１】
可動可能に形成されたシャッタ羽根と、前記シャッタ羽根を駆動するシャッタ駆動レバーと、前記シャッタ駆動レバーに支持されるアマーチャと、チャージ状態で前記アマーチャを吸着する電磁吸着手段とを有するシャッタ装置であって、
前記シャッタ駆動レバーと前記アマーチャとを弾性力を有する接着剤によって接着したことを特徴とするシャッタ装置。
【請求項２】
前記接着剤は、シリコン系接着剤であることを特徴とする請求項１記載のシャッタ装置。
【請求項３】
前記請求項１又は２記載のシャッタ装置を有することを特徴とする撮像装置。
【発明の詳細な説明】
【技術分野】
【０００１】
本発明は、一般的には、撮像装置に使用されるシャッタ装置に係り、特に、撮像した被写体像を記録媒体等に記録する撮像装置に使用されるシャッタ装置に関する。本発明の撮像装置は、例えば、電磁石を使用してシャッタを開放させる電磁レリーズ方式のシャッタ装置に好適である。
【背景技術】
【０００２】
近年の電気機器の小型化及び高性能化に伴い、カメラなどの撮像装置に関しても小型化及び高性能化が要求されている。そのため、撮像装置に使用される部材であるシャッタ装置においても、小型化及び高性能化が重要となってくる。シャッタ装置としては、例えば、電磁レリーズ方式のシャッタ装置がある（例えば、特許文献１参照のこと）。
【０００３】
電磁レリーズ方式のシャッタ装置は、電磁石により、シャッタを解放する装置である。シャッタ装置は、チャージレバーにより走行開始状態（チャージ状態）よりも更に付勢力を加えられた走行準備状態（オーバーチャージ状態）に保持される。この場合、オーバーチャージ状態は、先幕シャッタ羽根を駆動するためのシャッタ駆動レバーと、シャッタ駆動レバーによって保持されたアマーチャとの間に配置された圧縮バネが圧縮されることによって作られる。そして、レリーズ（解放）動作に伴い、チャージ状態となる。ここでは、アマーチャが電磁吸着手段の電磁力によって吸着された状態となる。そして、設定された時間が経過すると、アマーチャと電磁吸着手段との吸着が解除される。そして、シャッタ駆動レバーが走行することによりシャッタ羽根が走行し、露光が開始される。
【０００４】
尚、オーバーチャージ状態の場合、圧縮バネは、アマーチャと、シャッタ駆動レバーに形成されたアマーチャ支持部との間に挟まれて圧縮される。そして、圧縮バネは、圧縮力によりアマーチャを保持している。
【特許文献１】特開２００４−７７５７０号公報
【発明の開示】
【発明が解決しようとする課題】
【０００５】
しかしながら、アマーチャは、圧縮力により圧縮バネに保持されているだけで、圧縮バネと接続されている訳ではない。そのため、アマーチャは、圧縮方向においては位置が規制されているが、シャッタ駆動レバーが走行する方向、つまり、回転方向には位置が規制されていない。それにより、シャッタ装置がチャージ状態となる場合、アマーチャは、例えば、傾いたり、ずれたりして電磁吸着手段に吸着してしまう。その結果、アマーチャの吸着が安定しない。この場合、圧縮バネの圧縮力が弱いと、圧縮方向の規制も弱まってアマーチャが傾き易くなり、アマーチャの吸着が安定しない。逆に、圧縮バネの圧縮力が強いと、オーバーチャージ状態からチャージ状態になったときの反動が強くなるので、アマーチャの吸着方向とは逆の力が働き、吸着力が低下する。
【０００６】
その結果、アマーチャの吸着が安定しないので、アマーチャの切れ特性（離れる時間）がバラツキ、耐久による切れ特性（離れる時間）の変化が大きくなり、シャッタ精度が低下する。また、吸着力を維持するためには、電磁吸着手段を大きくすることが考えられるが、シャッタ装置の大型化及び大消費電力化を招いてしまう。
【０００７】
そこで、本発明は、装置の小型化を維持すると共に高性能化を実現させるシャッタ装置を提供することを例示的な目的とする。
【課題を解決するための手段】
【０００８】
本発明の一側面としてのシャッタ装置は、可動可能に形成されたシャッタ羽根と、前記シャッタ羽根を駆動するシャッタ駆動レバーと、前記シャッタ駆動レバーに支持されるアマーチャと、チャージ状態で前記アマーチャを吸着する電磁吸着手段とを有するシャッタ装置であって、前記シャッタ駆動レバーと前記アマーチャとを弾性力を有する接着剤によって接着したことを特徴とする。
【０００９】
本発明の別の側面としての撮像装置は、上記シャッタ装置を有することを特徴とする。
【発明の効果】
【００１０】
本発明によれば、装置の小型化を維持すると共に高性能化を実現させるシャッタ装置を提供することができる。
【発明を実施するための最良の形態】
【００１１】
以下、添付図面を参照して、本発明の一側面としてのシャッタ装置２００を有する撮像装置１００について説明する。ここで図１及び図２は、撮像装置１００の構成を示す斜視図である。
【００１２】
撮像装置１００は、撮像素子で撮影した被写体像を電子的に記録媒体等に記録する。撮像装置１００は、液晶表示装置１１０と、操作部１２０と、撮像レンズ用開口部１３０と、ファインダ光学系開口部１４０と、発光窓１５０と、筐体１６０とを有する。また、撮像装置１００の内部にはシャッタ装置２００が配置されている。
【００１３】
液晶表示装置１１０は、撮影する被写体像の確認または撮影された画像の再生表示をする。液晶表示装置１１０は、撮像装置１００の背面側（つまり、非被写体側）に形成されている。また、液晶表示装置１１０は、例えば、ＬＣＤである。
【００１４】
操作部１２０は、使用者が撮像装置１００を操作するために使用される。この場合、操作部１２０は、シャッターボタン１２１と、モード設定ダイヤル１２２と、ズーム切替レバー１２３と、操作ボタン１２４とを有する。また、操作部１２０は、使用者の利便性を向上させるために撮像時に使用者の指が届く範囲に集中するように形成されている。
【００１５】
シャッターボタン１２１は、撮像装置１００が被写体を撮影するために使用され、２段階の押圧操作が可能となっている。この場合、シャッターボタン１２１は、半押し操作が行われると、撮影準備動作（測光動作や測距動作等）が開始され、全押し操作が行われると、被写体が撮影される。
【００１６】
モード設定ダイヤル１２２は、撮像モードを切り替えるために使用され、撮像装置１００の上部に配置され、撮像装置１００に対して回動可能に支持されている。モード設定ダイヤル１２２の上面には、各種の撮像モードに応じたマークが表示されている。これらのマークが撮像装置１００本体の外面に形成された図示しない指標に合わせられることで、マークに応じた撮像モードの設定を行うことができる。
【００１７】
ズーム切替レバー１２３は、光学系の焦点距離を切り替えるために使用され、シャッターボタン１２１を取り囲むように配置される。また、ズーム切替レバー１２３は、回動可能である。この場合、ズーム切替レバー１２３は、一方向に回動させると光学系の焦点距離をワイド方向に切り替えることができ、他の方向に回動させると、テレ方向に切り替えることができる。
【００１８】
操作ボタン１２４は、撮像装置１００を操作するために使用される。操作ボタン１２４は、液晶表示装置１１０の近傍に配置される。また、操作ボタン１２４は、本実施例では、１つの中心ボタンと、その回りに形成される４つのボタンから構成される。
【００１９】
撮像レンズ用開口部１３０は、被写体の光束を内部に導入する。撮像レンズ用開口部１３０を通過した被写体光束は、撮像装置１００内に配置された図示しない撮像素子で結像する。また、撮像レンズ用開口部１３０の被写体側には、開閉カバー１３１が形成されている。開閉カバー１３１は、電源を入れると上下にスライドして収納される。
【００２０】
ファインダ光学系開口部１４０は、使用者が被写体を確認するための開口であって、撮像レンズ用開口部１３０の近傍に配置される。つまり、ファインダ光学系開口部１４０は、撮像レンズ用開口部１３０の上方に配置され、撮影動作時に観察及び撮影範囲を決定するために使用者に用いられる。
【００２１】
発光窓１５０は、図示しない発光源からの光を被写体に照明するための窓である。この場合、発光源は、撮影時に光量が足りないときに必要に応じて発光する。
【００２２】
筐体１６０は、撮像装置１００の内部部材を保護する機能を有する。筐体１６０は、電池蓋１６１と、蓋１６２及び１６３とを有する。
【００２３】
電池蓋１６１は、筐体１６０と共同して電池２００を筐体１６０内部に保持する。電池蓋１６１は、撮像装置１００に対して回動可能に形成されている。従って、電池蓋１６１が開くことによって、電池２００が挿脱可能になる。また、電池蓋１６１は、筐体１６０の底面部に形成されている。
【００２４】
蓋１６２及び１６３は、図示しないコネクターや電源等の機能拡張端子を保護する機能を有する。蓋１６２及び１６３は、撮像装置１００の本体に回動可能に取り付けられている。
【００２５】
以下、図３乃至７を参照して、シャッタ装置２００を説明する。本実施例では、シャッタ装置２００は、フォーカルプレーンシャッタである。ここで、図３は、チャージ状態のシャッタ装置２００を示す正面図である。図４は、動作完了状態のシャッタ装置２００を示す正面図である。図５は、チャージ状態にあるときのシャッタ装置２００を示す内部正面図である。図６は、チャージ状態にあるときのシャッタ装置２００を示す部分拡大正面図である。図７は、チャージ状態にあるときのシャッタ装置２００を示す側面図である。
【００２６】
シャッタ装置２００は、シャッタを開閉する機能を有している。シャッタ装置２００は、シャッタ地板２０１と、基板２０２と、シャッタ羽根２０３と、シャッタ駆動手段２１０と、アマーチャ２２１及び２２２と、ゴム２２５と、電磁吸着手段２３０と、接着剤２４０とを有する。
【００２７】
シャッタ地板２０１は、シャッタ装置に使用される部材を保持する機能を有する。シャッタ地板２０１は、開口２０１ａと、軸２０１ｂ及び２０１ｄと、円弧状溝２０１ｃ及び２０１ｅと、チャージ軸２０１ｆとを有する。
【００２８】
開口２０１ａは、光を入射させるために形成されている。そして、開口２０１ａは、後述するシャッタ羽根２０３によって入射する光の流入量が制御されている。
【００２９】
軸２０１ｂ及び２０１ｄは、シャッタ地板２０１の表面に設けられて、後述するシャッタ駆動レバー２１１及び２１２を回動自在に支持する。
【００３０】
円弧状溝２０１ｃ及び２０１ｅは、後述するシャッタ駆動レバー２１１及び２１２の駆動を規制する。つまり、円弧状溝２０１ｃ及び２０１ｅは、シャッタ駆動レバー２１１及び２１２の後述する駆動ピン２１７及び２１８が嵌め込まれることによって、シャッタ駆動レバー２１１及び２１２の駆動を規制している。
【００３１】
チャージ軸２０１ｆは、シャッタ地板２０１の表面に設けられて、後述するチャージレバー２１５を回動可能に支持する。
【００３２】
基板２０２は、シャッタ装置２００の動作を制御する機能を有する。基板２０２は、図３及び図４に示すように、プリント配線基板である。基板２０２は、後述するシャッタ駆動手段２１１０と、アマーチャ２２１及び２２２と、電磁吸着手段２３０とをシャッタ地板２０１とで挟むように配置されている。
【００３３】
シャッタ羽根２０３は、入射する光の流量を規制する機能を有する。シャッタ羽根２０３は、可動可能に形成されている。シャッタ羽根２０３は、図３及び図４に示すように先幕シャッタ羽根２０３ａ乃至２０３ｅと、後幕シャッタ羽根２０３ｆ乃至２０３ｉとから形成されている。シャッタ羽根２０３は、後述するシャッタ駆動手段２１０に可動可能に連結されている。また、先幕シャッタ羽根２０３ａ乃至２０３ｅは、不図示のカシメダボによって後述するシャッタ駆動手段２１０の先幕アームに連結されている。後幕シャッタ羽根２０３ｆ乃至２０３ｉは、図４に示すように、カシメダボ２１９ａ、２１９ｄ及び２１９ｆによって後幕アーム２１９ｂ及び２１９ｅに連結されている。
【００３４】
シャッタ駆動手段２１０は、シャッタ羽根２０３を駆動する機能を有する。シャッタ駆動手段２１０は、シャッタ駆動レバー２１１及び２１２と、チャージレバー２１５とを有する。
【００３５】
シャッタ駆動レバー２１１及び２１２は、シャッタ羽根２０３を駆動するために用いられる。シャッタ駆動レバー２１１は、軸２０１ｄに回動可能に支持されている。シャッタ駆動レバー２１２は、軸２０１ｂに回動可能に支持されている。シャッタ駆動レバー２１１及び２１２は、チャージコロ２１１ａ及び２１２ａと、アマーチャ支持部２１３及び２１４と、駆動ピン２１７及び２１８とを有する。
【００３６】
チャージコロ２１１ａ及び２１２ａは、後述するチャージアーム２１５と接触する。それにより、シャッタ駆動手段２１０は、オーバーチャージ状態へとなる。チャージコロ２１１ａ及び２１２ａは、図７に示すように、シャッタ駆動レバー２１１及び２１２の背面に設けられている。
【００３７】
アマーチャ支持部２１３及び２１４は、後述するアマーチャ２２１及び２２２を支持する機能を有する。アマーチャ支持部２１３及び２１４は、シャッタ駆動レバー２１１及び２１２の先端部に固着されている。アマーチャ支持部２１３及び２１４は、不図示の貫通孔を有している。アマーチャ支持部２１３及び２１４は、貫通孔に後述するアマーチャ軸２２１ａ及び２２２ａを挿入することにより、アマーチャ２２１及び２２２を保持している。この場合、摩擦などにより走行開始時間が変化しないように貫通孔の径は、アマーチャ軸２２１ａ及び２２２ａの径よりも少し大きく形成されていた。
【００３８】
駆動ピン２１７及び２１８は、シャッタ駆動レバー２１１及び２１２の回転を規制する機能を有する。駆動ピン２１７及び２１８は、図７に示すように、シャッタ駆動レバー２１１及び２１２の先端部の裏面に形成されている。そして、駆動ピン２１７及び２１８は、円弧状溝２０１ｃ及び２０１ｅを貫通して、図示しない駆動アームと係合している。この場合、不図示の駆動アームは、リンク機構で連結されシャッタ羽根２０３と係合されている。
【００３９】
チャージレバー２１５は、シャッタ駆動手段２１０をチャージ状態及びオーバーチャージ状態にするために使用される。チャージレバー２１５は、三又形状を有し、チャージピン２１５ａと、カム部２１５ｂ及び２１５ｃとを有する。
【００４０】
チャージピン２１５ａは、図７に示すように、チャージレバー２１５から突出して形成される。チャージピン２１５ａが、時計回り方向に回転すると、シャッタ駆動手段２１０は、チャージ状態となる。
【００４１】
カム部２１５ｂ及び２１５ｃは、図５に示すように、三又のチャージレバー２１５の先端部をさす。カム部２１５ｂ及び２１５ｃは、チャージコロ２１１ａ及び２１２ａと接触することで、シャッタ駆動手段２１０をオーバーチャージ状態にする。
【００４２】
アマーチャ２２１及び２２２は、後述する電磁吸着手段２３０に吸着されて、チャージ状態を維持する機能を有する。アマーチャ２２１及び２２２は、図７に示すように、アマーチャ軸２２１ａ及び２２２ａと、フランジ部２２３及び２２４とを有する。
【００４３】
アマーチャ軸２２１ａ及び２２２ａは、図７に示すように、アマーチャ２２１及び２２２に一体的に取り付けられており、アマーチャ支持部２１３及び２１４の図示しない貫通孔に挿入されている。
【００４４】
フランジ部２２３及び２２４は、アマーチャ軸２２１ａ及び２２２ａの一端に取り付けられている。フランジ部２２３及び２２４は、図示しない貫通孔の内径よりも大きな径を有する。それにより、フランジ部２２３及び２２４は、後述するゴム２２５が外れることを防止している。
【００４５】
ゴム２２５は、衝撃を吸収する機能を有する。この場合、ゴム２２５は、オーバーチャージ状態からチャージ状態に移行するときに、アマーチャ支持部２１３及び２１４がフランジ部２２３及び２２４に当たるときの衝撃を吸収している。
【００４６】
電磁吸着手段２３０は、アマーチャ２２１及び２２２を吸着する機能を有する。電磁吸着手段２３０は、シャッタ駆動レバー２１１及び２１２がチャージ状態にあるときに吸着できる位置に配置される。また、電磁吸着手段２３０は、コイル２３１及び２３２と、ヨーク２３３及び２３４と、保持部２３５とを有する。
【００４７】
コイル２３１及び２３２は、電磁力を発生する機能を有し、後述するヨーク２３３及び２３４の周辺に巻かれて配置されている。
【００４８】
ヨーク２３３及び２３４は、コイル２３１及び２３２からの電磁力によってアマーチャ２２１及び２２２を吸着する機能を有する。
【００４９】
保持部２３５及び２３６は、電磁部材を保持する機能を有する。つまり、保持部２３５及び２３６は、ヨーク２３３及び２３４を保持する。保持部２３５及び２３６は、図７に示すように、ビス２３５ａ及び２３６ａによって固定されている。
【００５０】
接着剤２４０は、アマーチャ２２１及び２２１をアマーチャ支持部２１３及び２１４に接着する。この場合、接着剤２４０は、図７に示すように、アマーチャ軸２２１ａ及び２２２ａに接触しないようにアマーチャ２２１及び２２１と、アマーチャ支持部２１３及び２１４とを接着している。また、接着剤２４０は、弾性力を有しており、例えば、シリコン系の接着剤である。
【００５１】
従来のシャッタ駆動レバーは、圧縮バネによりアマーチャを保持していた。しかしながら、バネは、圧縮方向では、ある程度アマーチャを保持するが、シャッタ駆動レバーの回転方向には保持できない。つまり、従来のシャッタ駆動レバーの構成では、シャッタ駆動レバーの回転方向に対してアマーチャを十分に保持できない。そのため、アマーチャが傾いてヨークに吸着されたり、位置ずれしたりする。
【００５２】
本実施例では、図７に示すように、アマーチャ支持部２１３及び２１４と、アマーチャ２２１及び２２２との間を弾力性を有する接着剤２４０で接着固定されている。それにより、チャージ毎にアマーチャ２２１及び２２２が回転方向に動くことがない。
【００５３】
また、アマーチャ２２１及び２２２の上下方向の傾きが発生しない。さらに、チャージ時にヨーク２３３及び２３４の吸着面をゴム２４０が押圧する。それにより、アマーチャ２２１及び２２２と、ヨーク２３３及び２３４との吸着状態がよく、エアーギャップの発生防止することができ、吸着力の低下が防止できる。さらに、吸着位置が一定に保たれて吸着状態が常に安定するので、耐久性も向上する。
【００５４】
次に、走行準備状態から走行完了状態までのシャッタ装置２００の動作を説明する。
【００５５】
まず、不図示のカメラ側チャージ部材によりチャージピン２１５ａを時計回り方向にチャージする。そして、チャージレバー２１５の先端のカム部２１５ｂ及び２１５ｃがチャージコロ２１１ａ及び２１２ａを押す。それにより、シャッタ駆動レバー２１１及び２１２が反時計回り方向にチャージされる。このとき、アマーチャ２２１及び２２２と、ゴム２２５も反時計回り方向に走行する。そして、アマーチャ２２１及び２２２は、待ち受けているヨーク２３３及び２３４に吸着されて停止する。
【００５６】
シャッタ駆動レバー２１１及び２１２は、更に、チャージされてオーバーチャージ状態となる。この場合、アマーチャ支持部２１３及び２１４は、ゴム２２５から離れて、接着剤２４０を圧縮する。そして、弾性力を有する接着剤２４０は、圧縮力によってヨーク２３３及び２３４を押圧する。それにより、シャッタ駆動レバー２１１は、オーバーチャージ状態、つまり、開始準備状態となる。
【００５７】
次に、撮像装置１００のレリーズ動作が行われると、コイル２３１及び２３２に電圧が印加される。それにより、ヨーク２３３及び２３４は、吸着力が発生し、アマーチャ２２１及び２２２を吸着する。それと同時に、カメラ側のチャージ部材が戻され、チャージピン２１５ａが反時計方向に作動して、チャージレバー２１５が戻される。それにより、カム部材２１５ｂ及び２１５ｃがシャッタ駆動レバー２１１及び２１２のチャージコロ２１１ａ及び２１２ａから外れる。そして、チャージシャッタ駆動レバー２１１及び２１２は、オーバーチャージ状態からチャージ状態となる。つまり、チャージシャッタ駆動レバー２１１及び２１２は、アマーチャ２２１及び２２２がヨーク２３３及び２３４に吸着された状態で停止して走行開始状態で保持される。
【００５８】
その後、設定された時間が経過するとコイル２３１及び２３２に印加している電流が停止する。それにより、アマーチャ２２１及び２２２の吸着が解除され、チャージシャッタ駆動レバー２１１及び２１２が走行し、シャッタ装置２００は、走行完了状態となる。
【００５９】
この場合、シャッタ装置は、以上の動作をレリーズ毎、つまり、撮影毎に繰り返す。従来のシャッタ装置は、アマーチャが回転方向に動く場合、アマーチャが傾いて吸着されてしまう。それにより、ヨークとアマーチャの接触状態（接触面積）が変化し、吸着力にバラツキが生じてしまう。その結果、チャージ状態から走行完了状態に変化する際に、アマーチャの切れ時間（離れる時間）が変化し、露出時間のバラツキが発生する。
【００６０】
本実施例では、図７に示すように、アマーチャ支持部２１３及び２１４と、アマーチャ２２１及び２２２との間を弾力性を有する接着剤２４０で接着固定されている。それにより、チャージ毎にアマーチャ２２１及び２２２が回転方向に動くことがない。
【００６１】
また、アマーチャ２２１及び２２２が上下方向に傾くとヨーク２３３及び２３４との密着性が悪くなる。それにより、エアーギャップが発生し、吸着力が低下してしまう。
【００６２】
本実施例では、図７に示すように、アマーチャ支持部２１３及び２１４と、アマーチャ２２１及び２２２との間を弾力性を有する接着剤２４０で接着固定されている。それにより、アマーチャ２２１及び２２２の上下方向の傾きが発生しない。さらに、チャージ時にヨーク２３３及び２３４の吸着面をゴム２４０が押圧する。それにより、アマーチャ２２１及び２２２と、ヨーク２３３及び２３４との吸着状態がよく、エアーギャップの発生防止することができ、吸着力の低下が防止できる。さらに、吸着位置が一定に保たれて吸着状態が常に安定するので、耐久性も向上する。
【００６３】
撮像装置１００の動作としては、使用者が、シャッターボタン１２１を押すことにより、シャッタ装置２００のシャッタが開閉して、被写体が撮像される。撮像された被写体像の画像データが記録される。記録されたデータは、液晶表示装置１１０に表示される。本実施例では、撮像装置１００は、シャッタ装置２００を有しているので、シャッタ精度が向上し、所望の画像を撮影することができる。
【００６４】
以上、本発明の好ましい実施例について説明したが、本発明はこれらの実施例に限定されないことはいうまでもなく、その要旨の範囲内で種々の変形及び変更が可能である。例えば、本実施例では、弾性力を有する接着剤として、シリコンゴム接着剤を使用しているが、弾性力を有している他の接着剤でも同様の効果を得ることは言うまでもない。
【図面の簡単な説明】
【００６５】
【図１】本発明の撮像装置の構成を示す概略断面図である。
【図２】図１に示す撮像装置の構成を示す概略斜視図である。
【図３】図１に示す撮像装置に内蔵されたシャッタ装置のチャージ状態を示す概略正面図である。
【図４】図１に示す撮像装置に内蔵されたシャッタ装置の動作完了状態を示す概略正面図である。
【図５】図１に示す撮像装置に内蔵されたシャッタ装置のチャージ状態を示す概略内部正面図である。
【図６】図１に示す撮像装置に内蔵されたシャッタ装置のチャージ状態を示す概略部分拡大正面図である。
【図７】図１に示す撮像装置に内蔵されたシャッタ装置のチャージ状態を示す概略側面図である。
【符号の説明】
【００６６】
１００            撮像装置
１１０            液晶表示装置
１２０            操作部
１２１            シャッターボタン
１２２            モード設定ダイヤル
１２３            ズーム切替レバー
１２４            操作ボタン
１３０            撮影レンズ用開口部
１４０            ファインダ光学系開口部
１５０            発光窓
１６０            筐体
２００            シャッタ装置
２０１            シャッタ地板
２０２            基板
２０３            シャッタ羽根
２１０            シャッタ駆動手段
２１１、２１２    シャッタ駆動レバー
２１３、２１４    アマーチャ支持部
２１５            チャージレバー
２１７、２１８    ピン
２１９            結合部
２１１、２２２    アマーチャ
２２３、２２４    フランジ部
２２５            ゴム
２３０            電磁吸着手段
２３１、２３２    コイル
２３３、２３４    ヨーク
２３５、２３６    保持部
２４０            接着剤
【図４】
2007094229.tif 000003
【図１】
2007094229.tif 000004
【図２】
2007094229.tif 000005
【図３】
2007094229.tif 000006
【図５】
2007094229.tif 000007
【図６】
2007094229.tif 000008
【図７】
2007094229.tif 000009